(57)【要約】【課題】内燃機関及びモータの協働によって出力を得るエンジンシステムにおいて、車両の減速時等において発生する余剰なトルクに起因して各要素に生じる不具合を効率的に防止することのできる制御装置を提供する。【解決手段】車両の減速時にエンジンへの燃料供給を継続する場合、最小限の燃料を供給することによりエンジンを燃焼させる制御（負のトルクを発生させる制御）を、エンジンＥＣＵが、ハイブリッドＥＣＵの指令信号とは無関係に実施する。このとき、ハイブリッドＥＣＵは、エンジンＥＣＵに対し、エンジンの出力の上限値ＵＬに関する指令信号のみを送信する。【選択図】  図３
2004324424.tif 000002
【特許請求の範囲】
【請求項１】
内燃機関と、
前記内燃機関の出力軸と機械的に連動する出力軸を有する駆動用モータジェネレータと、
前記内燃機関の回転力及び前記駆動用モータジェネレータの回転力を電力に変換する発電用モータジェネレータと、
前記内燃機関の回転力を前記駆動用モータジェネレータの回転力と前記発電用モータジェネレータの回転力とに分割する動力分割機構と、
前記内燃機関の排気通路に設けられる排気浄化用触媒と、
を備えるエンジンシステムの制御装置であって、
前記触媒の温度が所定値以下である場合には所定の条件下において前記内燃機関への燃料の供給を停止する処理を実行し、
前記触媒の温度が所定値を上回っている場合には前記所定の条件下において前記内燃機関への燃料の供給を停止する処理の実行することなく、当該機関の出力に上限値を設定する制御手段を備える
ことを特徴とするエンジンシステムの制御装置。
【請求項２】
前記制御手段は、当該機関の運転状態を制御する機関制御手段と、当該機関への燃料供給量に関する信号を前記機関制御手段に送信するシステム制御手段とを備え、
前記所定の条件下において前記触媒の温度が所定値を上回っている場合、前記機関制御手段が当該機関への燃料供給量の制御を自立して行うとともに、前記システム制御手段は、当該機関への燃料供給量に関する信号に替えて、当該機関への燃料の供給量の上限値に関する信号を前記機関制御手段に送信する
ことを特徴とする請求項１記載のエンジンシステムの制御装置。
【発明の詳細な説明】
【０００１】
【発明の属する技術分野】
本発明は、内燃機関とモータとが協働して所定の駆動対象に動力を供給するエンジンシステムの制御装置に関する。
【０００２】
【従来の技術】
従来、内燃機関及びモータを複数の駆動源として組み合わせたハイブリッドエンジンが例えば車載用のエンジンとして知られている。ハイブリッドエンジンの各駆動源は、電子制御装置等を通じて制御されることにより、車両を駆動するための力学的なエネルギーを効率良く発生する。例えば機関燃焼によるエネルギーの変換効率が高い運転領域では内燃機関の出力を優先的に活用し、機関燃焼によるエネルギーの変換効率が低い運転領域では電動機の出力を優先的に活用するといった制御を行うことができる。
【０００３】
特許文献１には、内燃機関、駆動用モータジェネレータ、発電用モータジェネレータを駆動源として備え、これら３つの駆動源が連動し一本の出力軸に回転力を付与するハイブリッドエンジンと、このハイブリッドエンジンの各駆動源を制御する装置とが記載されている。
【０００４】
ところで、内燃機関を唯一の駆動源とするエンジンシステムであれ、上記のようなハイブリッドエンジンを備えたエンジンシステムであれ、車両の減速時等、システム全体から負のトルクが発生する場合（システム全体の発生トルクがシステム全体に要求されるトルクを上回る場合）、内燃機関への燃料の供給を停止する（燃料カットを行う）ことにより機関燃焼を停止すれば、システム全体の燃費効率を高めることができる。
【０００５】
しかし、エンジンの燃料カットを実施すると、吸気通路内の空気が燃焼室を介して排気通路に流れ込み、排気浄化用触媒に接触する。排気浄化用触媒は、その温度がある程度高いときに空気と接触すると、劣化する。
【０００６】
このため、燃料カットを行うことが好ましい条件下であっても、排気浄化用触媒の温度が所定値を上回っている場合、燃料カットを行うことなく、機関燃焼を継続する必要がある。
【０００７】
ここで、内燃機関を唯一の駆動源として備えるエンジンシステムと異なり、ハイブリッドエンジンを備えたエンジンシステムでは、車両の減速に伴う負のトルクと、機関燃焼に基づく正のトルクとが同時に発生すると、各トルクの絶対値の総和が、発電用モータジェネレータに作用し、発電が起きる。通常、このとき発生する電力は、蓄電池の充電用として活用することができる。
【０００８】
【特許文献１】
特開平１０−２９９５２７号公報
【発明が解決しようとする課題】
ところが、このような状況で蓄電池の充電量が許容限界に達すると、蓄電池に負担がかかる懸念がある。
【０００９】
本発明は、このような実情に鑑みてなされたものであって、内燃機関及びモータの協働によって出力を得るエンジンシステムにおいて、車両の減速時等において発生する余剰なトルクに起因して各要素に生じる不具合を効率的に防止することのできる制御装置を提供することを目的とする。
【００１０】
【課題を解決するための手段】
上記目的を達成するために、本発明は、
（１）内燃機関と、前記内燃機関の出力軸と機械的に連動する出力軸を有する駆動用モータジェネレータと、前記内燃機関の回転力及び前記駆動用モータジェネレータの回転力を電力に変換する発電用モータジェネレータと、前記内燃機関の回転力を前記駆動用モータジェネレータの回転力と前記発電用モータジェネレータの回転力とに分割（分配）する動力分割機構と、前記内燃機関の排気通路に設けられる排気浄化用触媒と、を備えるエンジンシステムの制御装置であって、前記触媒の温度が所定値以下である場合には所定の条件下において前記内燃機関への燃料の供給を停止する処理を実行し、前記触媒の温度が所定値を上回っている場合には前記所定の条件下において前記内燃機関への燃料の供給を停止する処理の実行することなく、当該機関の出力に上限値を設定する制御手段を備えることを要旨とする。
【００１１】
なお、上記構成において、駆動用モータジェネレータ及び発電用モータジェネレータの何れもが、軸の回転力を電力に変換する機能と、電力を軸の回転力に変換する機能とを併せ備えることとする。
【００１２】
また、上記所定の条件としては、当該エンジンシステムを搭載した車両が降板走行や減速走行を行う場合等、前記内燃機関の発生トルクが要求トルクを上回り、負のトルクを発生させることが好ましい条件を例示することができる。
【００１３】
同構成では、所定の条件下において前記内燃機関への燃料供給を停止することにより、前記内燃機関の出力軸が回転する際の機械損失を利用して負のトルクを発生させる。しかし、前記排気浄化用触媒の温度がある程度高い条件下で前記内燃機関への燃料供給を停止すると、高温状態の触媒に空気が流れ込み、当該触媒が劣化する虞がある。このため、前記触媒の温度が所定値を上回っている場合には、前記内燃機関への燃料の供給を停止する処理の実行を禁止する。
【００１４】
このとき、エンジンシステム全体として、蓄電を行うことが好ましい条件下では、前記内燃機関の発生トルク（正のトルク）を利用し、発電用モータジェネレータ及び駆動用モータジェネレータに発電させる制御を行うことができる。
【００１５】
一方、エンジンシステム全体として、蓄電を行うことが好ましくない条件下では、当該機関への燃料供給量に上限値を設定し、当該機関の燃焼に伴って発生する正のトルク（絶対値）が、機械損失による負のトルク（絶対値）を下回り、当該機関が負のトルクが発生するように制御を行う。さらに、駆動用モータジェネレータが発生する電力を発電用モータジェネレータに付与し、発電用モータジェネレータに回転力を発生させ、この発電用モータジェネレータの回転力により、当該機関の負のトルクを吸収するといった制御を行うことができる。
【００１６】
これにより、当該エンジンシステムを搭載した車両の降板走行や減速走行に伴って発生するエンジンシステム全体の発電量を必要に応じて抑制することができる。
【００１７】
（２）ここで、前記制御手段は、当該機関の運転状態を制御する機関制御手段と、当該機関への燃料供給量に関する信号を前記機関制御手段に送信するシステム制御手段とを備え、前記所定の条件下において前記触媒の温度が所定値を上回っている場合、前記機関制御手段が当該機関への燃料供給量の制御を自立して行うとともに、前記システム制御手段は、当該機関への燃料供給量に関する信号に替えて、当該機関への燃料の供給量の上限値に関する信号を前記機関制御手段に送信するのが好ましい。
【００１８】
同構成によれば、当該エンジンシステムを搭載した車両の降板走行や減速走行に伴って発生するエンジンシステム全体の発電量を必要に応じて抑制する制御を行うに際し、前記システム制御手段及び前記機関制御手段間の通信構造を簡素化することができる。
【００１９】
【発明の実施の形態】
以下、本発明の制御装置を、車載用ハイブリッドエンジンシステムに適用した一実施の形態について説明する。
【００２０】
〔エンジンシステムの構造及び機能〕
図１（ａ）に示すように、ハイブリッドエンジンシステム（以下、単にエンジンシステムという）１は、内燃機関（以下、単にエンジンという）２０、ジェネレータ（モータ・ジェネレータ）ＭＧ１、モータ（モータ・ジェネレータ）ＭＧ２、動力分割機構５０、減速機６０、インバータ７０、バッテリ８０、電子制御ユニット（以下、ＥＣＵという）９０等を主要な構成要素として含む。エンジン２０の吸気通路２１途中には、吸気の流量（吸気量）を制御するためのスロットル弁２１ａが備えられている。また、エンジン２０の排気通路２２途中には、排気中の一酸化炭素（ＣＯ）、炭化水素（ＨＣ）、窒素酸化物（ＮＯｘ）を浄化する排気浄化用三元触媒（以下、三元触媒という）を内蔵した触媒コンバータ２３が備えられている。エンジン２０は、燃焼室（図示略）、ＥＣＵ９０の指令信号に従って燃焼室内に燃料を供給する燃料噴射弁（図示略）等を備える。エンジン２０は、車両の駆動輪９に回転力を付与する他、ジェネレータＭＧ１を駆動して電力を発生させる。ジェネレータＭＧ１は、エンジン２０に駆動されて電力を発生する場合の他、インバータ７０から電力供給を受けてエンジン２０に回転力を付与する場合もある。モータＭＧ２は、バッテリ８０或いはジェネレータＭＧ１から電力の供給を受けて駆動輪９に回転力を付与する場合と、逆に駆動輪９やエンジン２０から回転力を付与されることで発電を行いバッテリ８０に充電用の電力を供給する場合とがある。モータＭＧ２の回転軸３１は、減速機６０を介して駆動輪９の回転軸（駆動軸）１０に連結される。
【００２１】
また、エンジン２０のクランクシャフト２４と、モータＭＧ２の回転軸３１と、ジェネレータＭＧ１の回転軸４１とは、動力分割機構５０を介して相互に連結されている。動力分割機構５０は、相互にギア連結された３種の回転軸（サンギア、キャリア、リングギア）を内蔵する。
【００２２】
〔動力分割機構の機能〕
図１（ｂ）は、動力分割機構５０に内蔵された３種の回転軸の関係を概略的に示す図である。３種の回転軸のうち、第１の回転軸（サンギア）５１は、動力分割機構５０内の中央部に配置される。第２の回転軸（キャリア）５２は、サンギア５１の外周を自転しながら公転する。第３の回転軸（リングギア）５３は、キャリア５２の軌道Ｃのさらに外周に設けられる。サンギア５１とリングギア５３とは共通の回転中心を有する。サンギア５１とジェネレータＭＧ１の回転軸Ｓ１とは、回転速度が一致する。サンギア５１の外周面とキャリア５２の外周面とが噛合し、また、キャリア５２の外周面とリングギア５３の内周面とが噛合する。また、サンギア５１は、ジェネレータＭＧ１の回転軸Ｓ１に結合する。また、リングギア５３は、モータＭＧ２の回転軸Ｓ２に結合する。さらに、キャリア５２の公転速度とエンジン２０の回転速度（回転数）Ｎｅとが一致するように、キャリア５２はクランクシャフト２４に連結されている。
【００２３】
このような構成からなる動力分割機構５０は、その構成要素である３つの回転軸５１，５２，５３のうち、２つの回転速度（回転数）及びトルクが決まると、残りの回転軸の回転数及びトルクが必然的に定まる特性を有する。
【００２４】
各回転軸の回転状態の関係は、機構学上周知の計算式によって求めることができるが、共線図と呼ばれる図により幾何学的に求めることもできる。
【００２５】
図１（ｃ）に、共線図の一例を示す。同図１（ｃ）において、縦軸は各回転軸の回転数に相当し、横軸は各回転軸間のギア比を距離に変換したものに相当する。サンギアの回転中心（Ｓ）とリングギアの回転中心（Ｒ）を両端にとり、位置Ｓと位置Ｒの間を１：ρに内分する位置Ｃをキャリアの公転中心とする。ρはリングギア５２の歯数に対するサンギア５１の歯数の比である。こうして定義された位置Ｓ，Ｃ，Ｒにそれぞれのギアの回転数Ｎｓ，Ｎｃ，Ｎｒをプロットする。このようにプロットされた３点は、必ず一直線に並ぶ性質を有する。この直線を動作共線と呼ぶ。動作共線は２点が決まれば一義的に決まる。従って、動作共線を用いることにより、３つの回転軸のうち２つの回転軸の回転数から残余の回転軸の回転数を求めることができる。
【００２６】
また、キャリアでは、各回転軸のトルクを動作共線に働く力に置き換えて示したとき、動作共線が剛体として釣り合いが保たれるという性質を有している。具体例として、キャリア５２に作用するトルクをＴｅとする。このとき、図１（ｃ）に示すように、トルクＴｅに相当する大きさの力を位置Ｃで動作共線に鉛直下から上に作用させる。作用させる方向はトルクＴｅの方向に応じて定まる。また、リングギア５３から出力されるトルクＴｒを位置Ｒにおいて動作共線に、鉛直上から下に作用させる。図１（ｃ）中のＴｅｓ，Ｔｅｒは剛体に作用する力の分配法則に基づいてトルクＴｅを等価な２つの力に分配したものである。「Ｔｅｓ＝ρ／（１＋ρ）×Ｔｅ」「Ｔｅｒ＝１／（１＋ρ）×Ｔｅ」なる関係がある。以上の力が作用した状態で、動作共線図が剛体として釣り合いがとれているという条件を考慮すれば、サンギアに作用すべきトルクＴｍ１，リングギアに作用すべきトルクＴｍ２を求めることができる。トルクＴｍ１はトルクＴｅｓと等しくなり、トルクＴｍ２はトルクＴｒとトルクＴｅｒの差分に等しくなる。
【００２７】
キャリア５２に連結されたエンジン２０が回転しているとき、動作共線に関する上述の条件を満足する条件下で、サンギア５１およびリングギア５３は様々な回転状態で回転することができる。サンギア５１が回転しているときは、その回転力を利用してジェネレータＭＧ１により発電することが可能である。リングギア５３が回転しているときは、エンジン２０から出力された動力を駆動軸１０に伝達することが可能である。
【００２８】
エンジンシステム１では、このような動力分割機構５０の特性を利用することにより、例えばエンジン２０の発生する動力（クランクシャフト２４の回転力）をモータＭＧ２の回転軸３１とジェネレータＭＧ１の回転軸Ｓ１とに分割して伝達することができる。また、例えばモータＭＧ２の発生する動力とエンジン２０の発生する動力とを併せて利用し、駆動輪９の回転軸１０を回転させつつ、残りの動力でジェネレータＭＧ１を駆動しバッテリ８０の充電を行うこともできる。また、エンジンシステム１の搭載車両が停止している場合には、モータＭＧ２が停止した状態でジェネレータＭＧ１に電力を供給し、これをモータ駆動することにより、非燃焼状態にあるエンジン２０のクランクシャフト２４を回転し、機関燃焼を開始することもできる。さらに、モータＭＧ２及びジェネレータＭＧ１の両者に電力を供給し、これをモータ駆動することにより、エンジンシステム１の搭載車両を走行させながら、非燃焼状態にあるエンジン２０のクランクシャフト２４を回転し、機関燃焼を開始することもできる。
【００２９】
ＥＣＵ９０は、ハイブリッドＥＣＵ（以下、ＨＥＣＵという）９１、エンジンＥＣＵ（以下、ＥＥＣＵという）９２、及びモータＥＣＵ９３等を含む。ＨＥＣＵ９１、ＥＥＣＵ９２、及びモータＥＣＵ９３は、各々が中央処理装置（ＣＰＵ）、読み出し専用メモリ（ＲＯＭ）、ランダムアクセスメモリ（ＲＡＭ）等から構成される論理演算回路を備える。
【００３０】
ＨＥＣＵ９１は、アクセルペダル（図示略）の踏み込み量に基づき、エンジン、モータ、ジェネレータの発生すべきトルク（目標トルク）を決定する。そして、エンジンの目標トルクをＥＥＣＵ９２に、モータの目標トルクをモータＥＣＵ９３に送信する。ＥＥＣＵ９２は、エンジン２０が目標トルクを発生するように、同エンジン２０に供給される燃料量等を制御する。
【００３１】
ＨＥＣＵ９１は、図示しない各種センサの検出信号を、外部入力回路、ＥＥＣＵ９２及びＭＥＣＵ９３を介して入力し、これら信号に基づいて、エンジン２０、モータＭＧ２、バッテリ８０等の作動状態を把握する。そして、これら要素２０，ＭＧ２，８０等の作動状態に応じた指令信号を、ＥＥＣＵ９２及びＭＥＣＵ９３に送信する。ＥＥＣＵ９２は、ＨＥＣＵ９１の指令信号に基づいてエンジン２０の作動状態を制御し、ＭＥＣＵ９３は、ＨＥＣＵ９１の指令信号に基づいてモータＭＧ２の作動状態を制御する。
【００３２】
このように構成されたエンジンシステム１は、エンジン２０、ジェネレータＭＧ１及びモータＭＧ２の発生する動力（軸トルク）を適宜使い分けて車両の駆動輪９に伝達する他、適宜、エンジン２０の駆動力や車両の減速等に伴って発生するエネルギーを電力に変換してバッテリ８０を充電する。
【００３３】
〔エンジンシステムの作動〕
以下、エンジンシステム１の作動について、具体例を挙げて説明する。
【００３４】
図２は、エンジン２０及びモータＭＧ２の発生する動力やバッテリ８０に蓄えられた電力が、エンジンシステム１の運転条件に応じてどのように活用されるのかを、動力や電力の伝達経路を中心に説明する模式図である。なお、各図２（ａ），図２（ｂ），図２（ｃ）において、実線の矢印は動力の伝達経路を示し、破線の矢印は電力の伝達経路を示す。
【００３５】
（１）システム起動時
エンジンシステム１の起動時には、エンジン２０の暖機を行う。この際、エンジン２０の発生するエネルギーの一部はジェネレータＭＧ１を介して電力に変換され、バッテリ８０に蓄えられる（図２（ａ））。エンジン２０の冷却水の温度を所定値を上回ると（暖機が完了すると）、エンジン２０の運転を停止する。
【００３６】
（２）発進時・低速走行時
エンジンシステム１を搭載した車両が発進する際、或いは低速走行を行う際等、エンジン２０の熱効率が低くなる条件下においては、モータＭＧ２の発生する動力を優先的に活用して車両（駆動輪９）を駆動する（図２（ｂ））。
【００３７】
（３）通常走行時
エンジンシステム１を搭載した車両が通常の条件下で走行を行う場合には、エンジン２０の発生する動力を動力分割機構により適宜の割合に分割することにより、エンジン２０の発生する動力（クランクシャフト２４から減速機６０に直接伝達される動力）と、モータＭＧ２の発生する動力とが最適な比率で協働して車両（駆動輪９）を駆動するように制御を行う（図２（ｃ））。
【００３８】
〔減速時制御〕
次に、エンジンシステム１を搭載した車両が減速する際、ＥＣＵ９０を通じて行われる制御（以下、減速時制御という）について説明する。
【００３９】
エンジンシステム１を搭載した車両が減速する際、エンジン２０に要求されるトルクが減少する。そこで、ＨＥＣＵ９１は、エンジン２０への燃料供給を停止するようにＥＥＣＵ９２に指令信号を送る。このとき、ＥＥＣＵ９２は、触媒コンバータ２３内に収容された三元触媒の温度（以下、触媒温度という）を認識し、その触媒温度が所定値を上回っている場合には、ＨＥＣＵ９１の指令信号に従ってエンジン２０への燃料供給を停止する。一方、触媒温度が所定値未満である場合、ＥＥＣＵ９２は、エンジン２０への燃料供給を継続する。触媒温度がある程度高い条件下でエンジン２０への燃料供給を停止すると、高温状態の三元触媒に空気が流れ込み、触媒が劣化する虞があるためである。
【００４０】
ここで、車両が減速しているにも関わらずエンジン２０への燃料供給が継続されると、エンジン２０の発生トルク（正のトルク）を吸収するためにモータＭＧ２の発電量が増大し、場合によっては過剰な電力がバッテリ８０に供給されてしまう。そこで、本実施の形態にかかるエンジンシステム１のＥＣＵ９０は、バッテリ８０の容量に十分余裕があり、蓄電を行うことが好ましい条件下では、エンジン２０の発生トルク（正のトルク）を利用し、ジェネレータＭＧ１又はモータＭＧ２に発電させる制御を行う。一方、バッテリ８０の容量に十分な余裕がなく、蓄電を行うことが好ましくない条件下では、エンジン２０の燃焼に伴って発生する正のトルク（絶対値）が、機械損失による負のトルク（絶対値）を下回り、エンジン２０が負のトルクが発生するように制御を行う。そして、モータＭＧ２が発生する電力をジェネレータＭＧ１に付与し、ジェネレータＭＧ１に回転力を発生させ、このジェネレータＭＧ２の回転力により、エンジン２０の負のトルクを吸収するといった制御を行う。これにより、車両の降板走行や減速走行に伴って発生するエンジンシステム全体の発電量を必要に応じて抑制することができる。
【００４１】
ところで、ＨＥＣＵ９１の指令信号は、基本的にはエンジンシステム１全体に要求される発生トルクのうち、エンジン２０の分担を指示するためのものである。このため、このような条件下で、ＨＥＣＵ９１がエンジン２０の発生トルクを決定する必要性は低い。そこで、車両の減速時にエンジン２０への燃料供給を継続する場合、最小限の燃料を供給することによりエンジン２０を燃焼させる制御を、ＥＥＣＵ９２が、ＨＥＣＵ９１の指令信号とは無関係に実施する。
【００４２】
ちなみに、車両の走行状態が、減速走行から定速走行、又は減速走行から加速走行の状態に移行すると、ＥＥＣＵ９２は、ＨＥＣＵ９１の指令信号に従うエンジン２０の制御を再開する。
【００４３】
図３には、減速時制御が実施される際、ＨＥＣＵ９１とＥＥＣＵ９２との間で送受信される各種信号のオン／オフの切り替えタイミング、及び信号の種別変更のタイミング等を、同一時間軸上に示すタイムチャートの一例である。
【００４４】
先ず、図３（ａ）には、ＥＥＣＵ９２からＨＥＣＵ９１に送られる自立要求信号のオン／オフの切り替えタイミングを示す。自立要求信号とは、ＥＥＣＵ９２がＨＥＣＵ９１の指令信号とは無関係にエンジン２０の運転状態を制御する許可を要求するための信号である。図３（ｂ）には、ＨＥＣＵ９１からＥＥＣＵ９２に送られる自立許可信号のオン／オフの切り替えタイミングを示す。自立許可信号とは、自立要求信号に対する応答として、ＥＥＣＵ９２がＨＥＣＵ９１の指令信号とは無関係にエンジン２０の運転状態を制御する許可を与えるための信号である。図３（ｃ）には、エンジン２０の発生する出力の推移を示す。図３（ｄ）には、ＨＥＣＵ９１からＥＥＣＵ９２に送られる信号の種別変更のタイミングを示す。
【００４５】
エンジンシステム１を搭載した車両が減速する際、触媒温度が所定値を下回っている場合に、ＥＥＣＵ９２からＨＥＣＵ９１に自立要求信号が送信され（図３（ａ）の時刻ｔ１〜時刻ｔ３）、その応答として、ＨＥＣＵ９１からＥＥＣＵ９２に自立許可信号が送信される（図３（ｂ）の時刻ｔ２〜時刻ｔ４）。
【００４６】
ＥＥＣＵ９２は、自立許可信号を受信している期間中、エンジン２０への燃料供を継続する。このときＥＥＣＵ９２は、図示しないマップ等を参照してエンジン２０が失火しない最小限度（下限値）ＬＬの燃料量（図３（ｂ）において一点鎖線で示す）を認識しつつ、この下限値ＬＬを上回る量の燃料をエンジン２０に供給する。一方、ＨＥＣＵ９１は、自立許可信号を送信していない期間中には、エンジン２０に要求される出力（又はトルク）に対応する信号を、ＥＥＣＵ９２に送信する。一方、ＨＥＣＵ９１は、自立許可信号を送信している期間中には、エンジン２０が発生する出力（又はトルク）の上限値ＵＬ（図３（ｃ）中において破線で示す）に対応する信号を、ＥＥＣＵ９２に送信する（図３（ｄ））。
【００４７】
このように、ＨＥＣＵ９１からＥＥＣＵ９２に自立許可信号が送られていない期間中には、ＨＥＣＵ９１の指令信号がＥＥＣＵ９２に送信され、その指令信号に従いエンジン２０の燃料噴射弁が駆動される。一方、ＨＥＣＵ９１からＥＥＣＵ９２に自立許可信号が送られている期間中には、ＨＥＣＵ９１は、エンジン２０の出力（又はトルク）の上限値ＵＬに対応する指令信号のみをＥＥＣＵ９２に発信するとともに、バッテリ８０の容量等に応じてモータＭＧ１及びジェネレータＭＧ２の発電量（又は回転力）を制御する。ＥＥＣＵ９２は、エンジン２０の出力（又はトルク）がこの上限値ＵＬを上回らない条件下で、且つ、エンジン２０が失火しないように（燃料噴射弁が、失火が起きない下限値ＬＬを僅かに上回る程度の量の燃料を供給するように）、エンジン２０を制御する。
【００４８】
なお、上限値ＵＬは、バッテリ８０の容量等に応じてモータＭＧ１及びジェネレータＭＧ２の発電量（又は回転力）を制御することが可能な限度を意味する。言い換えると、ＨＥＣＵ９１からＥＥＣＵ９２に自立許可信号が送られている期間中、エンジン２０の出力（又はトルク）が上記の上限値を上回ると、バッテリ８０の容量等に応じてモータＭＧ１及びジェネレータＭＧ２の発電量（又は回転力）を制御することが困難になる。上限値ＵＬとしては、「０」又は負の値を採用するのが好ましい。
【００４９】
なお、図４に、ＨＥＣＵＥ９１がＥＥＣＵ９２に送る信号の種別を切り替えるために実行する処理手順（ルーチン）を示す。このルーチンは、ＥＣＵ９０の主電源がオンになっている期間中、ＨＥＣＵ９１を通じ所定周期で繰り返し実行される。本ルーチンにおいて、ＨＥＣＵ９１は、エンジンシステム１を搭載した車両が減速走行中であるか否か（Ｓ１０１）、そして、その判断が肯定であればＥＥＣＵ９２から自立要求信号が発信されているか否かを判断する（Ｓ１０２）。
【００５０】
そして、両ステップＳ１０１，Ｓ１０２の判断が肯定である条件下では、エンジン２０の出力の上限値ＵＬに関する信号をＥＥＣＵ９２に送信する。その一方、ステップＳ１０１，Ｓ１０２のうち、何れかの判断が否定である条件下では、エンジン２０の出力の上限値ＵＬに関する信号をＥＥＣＵ９２に送信するように、ＥＥＣＵ９２へ送信する信号の種別を切り替える。
【００５１】
以上説明したように、本実施の形態にかかる制御構造を採用することにより、以下の作用・効果が得られる。
【００５２】
（１）エンジンシステム１を搭載した車両が減速する際、エンジン２０に負のトルク（若しくは所定値よりも小さなトルク）、又は出力を発生させる。これにより、排気通路２２に設けられた三元触媒の機能を損なわずに、運転者が適度な減速感を感じるようエンジンシステム全体として負のトルクを発生させることができる。しかも、負のトルクを利用して効率的に発電（蓄電）を行うとともに、過剰な電力が発生しないようにエンジンシステム１全体の発電量を必要に応じて抑制することができる。
【００５３】
（２）また、通常の車両走行時においては、ＨＥＣＵ９１が、エンジン２０、ジェネレータＭＧ１、モータＭＧ２の出力（トルク）配分を統括制御する。その一方、車両減速時においてＥＥＣＵ９２がエンジン２０を制御する際、ＨＥＣＵ９２は、エンジン２０の出力（トルク）の上限値ＵＬに関する指令信号のみを発信する。これにより、エンジン２０の出力（トルク）を決定するに際し、例えばＨＥＣＵ９１の判断とＥＣＵ９２の判断とを、２つの通信ＲＡＭ上で併存させる必要もない。すなわち、ＨＥＣＵ９１及びＥＣＵ９２間の通信構造が簡略される。
【００５４】
なお、本実施の形態で例示した減速時制御と同等の制御を、他の条件下、例えばエンジンシステム１を搭載した車両が降板走行を行う場合等に実施してもよい。要は、エンジン２０の発生トルクが要求トルクを上回り、負のトルクを発生させることが好ましい条件下で減速時制御と同等の制御を実施することで、本実施の形態と同等若しくはこれに準ずる効果を奏することができる。
【００５５】
【発明の効果】
以上説明したように、本発明によれば、内燃機関及びモータの協働によって出力を得るエンジンシステムにおいて、当該エンジンシステムを搭載した車両の降板走行や減速走行に伴って発生するエンジンシステム全体の発電量を必要に応じて抑制することができる。
【図面の簡単な説明】
【図１】本発明の一実施の形態にかかるエンジンシステムを示す概略構成図。
【図２】同実施の形態にかかるエンジンシステムにおける動力及び電力の伝達経路を説明する模式図。
【図３】同実施の形態にかかる減速時制御が実施される際、ハイブリッドＥＣＵとエンジンＥＣＵとの間で送受信される各種信号のオン／オフの切り替えタイミング等を示すタイムチャート。
【図４】同実施の形態において、ハイブリッドＥＣＵＥがエンジンＥＣＵに送る信号の種別を切り替えるために実行する処理手順を示すフローチャート。
【符号の説明】
１  ハイブリッドエンジン
９  駆動輪
１０  駆動軸
２０  内燃機関（エンジン）
２１  吸気通路
２１ａ  スロットル弁
２２  排気通路
２４  クランクシャフト
Ｓ１，Ｓ２  回転軸
５０  動力分割機構
６０  減速機
８０  バッテリ
９０  電子制御ユニット（ＥＣＵ：制御手段）
９１  ハイブリッドＥＣＵ（ＨＥＣＵ：システム制御手段）
９２  エンジンＥＣＵ（ＥＥＣＵ：機関制御手段）
９３  モータＥＣＵ
ＭＧ１  ジェネレータ
ＭＧ２  モータ
【図１】
2004324424.tif 000003
【図２】
2004324424.tif 000004
【図３】
2004324424.tif 000005
【図４】
2004324424.tif 000006